(57)【要約】【課題】容易に所望の長さに切断された付箋を得ることのできる付箋収納具を提供することを目的とする。【解決手段】裏面全体に粘着剤が塗布され、ロール状に巻回された付箋Ｓを収納すると共に、付箋Ｓを引き出して所望の長さに切断することのできる略筒状の付箋収納具１は、付箋Ｓを回動可能に保持する軸受１１１と、付箋Ｓが引き出されるスリット１１ａと、を備えた本体１１と、本体１１の外周面上に設けられ、スリット１１ａから引き出された付箋Ｓを切断する切刃１２２を備えた切断部１２と、からなり、本体１１の外周面上には、スリット１１ａから引き出された付箋Ｓについて、切断部１２の切刃１２２からの長さを示す目盛Ｍが設けられている。【選択図】図１
2018001700.tif 000002
【特許請求の範囲】
【請求項１】
裏面全体に粘着剤が塗布され、ロール状に巻回された付箋を収納すると共に、当該付箋を引き出して所望の長さに切断することのできる略筒状の付箋収納具であって、
上記付箋を回動可能に保持する軸受と、上記付箋が引き出されるスリットと、を備えた本体と、
上記本体の外周面上に設けられ、上記スリットから引き出された付箋を切断する切刃を備えた切断部と、からなり、
上記本体の外周面上には、上記スリットから引き出された付箋について、上記切断部の切刃からの長さを示す目盛が設けられている、
ことを特徴とする付箋収納具。
【請求項２】
上記本体の外周面上には、上記付箋が仮接着される箇所に凹凸が設けられている、
請求項１記載の付箋収納具。
【請求項３】
上記凹凸は、細かな多段の突条からなる、
請求項２記載の付箋収納具。
【請求項４】
上記凹凸は、散在するドット上の突起からなる、
請求項２記載の付箋収納具。
【請求項５】
上記本体の外周面上には、上記付箋を巻き戻すための開口部が設けられている、
請求項１乃至４いずれかの項に記載の付箋収納具。
【請求項６】
上記本体の外周面上には、一定の長さごとに凸部が設けられている、
請求項１乃至５いずれかの項に記載の付箋収納具。
【請求項７】
上記凸部は、幅方向に長さを有する突条であって、上記本体の外周面から上記切断部方向に斜めに立設している、
請求項６記載の付箋収納具。
【請求項８】
上記切断部は、上記付箋の幅に応じて、幅方向中央が突出した山型形状かなる、
請求項１乃至７いずれかの項に記載の付箋収納具。
【請求項９】
上記切断部の上面に凹部が形成されている、
請求項１乃至７いずれかの項に記載の付箋収納具。
【請求項１０】
上記切断部の下面に凹部が形成されている、
請求項１乃至９いずれかの項に記載の付箋収納具。
【請求項１１】
上記目盛は、印字、刻印、又はシールによって設けられている、
請求項１乃至１０いずれかの項に記載の付箋収納具。
【発明の詳細な説明】
【技術分野】
【０００１】
本発明は、付箋を所望の長さに引き出して切断することのできる付箋収納具に関する。
【背景技術】
【０００２】
書物やノートのページに貼り付けられる付箋は、ページを開きやすくしたり、参照箇所を分かりやすくしたりするのに用いられるが、メモ用紙としても用いられている。特に、メモ用紙として用いられる付箋には、裏面全体に粘着剤が塗布された長尺の付箋であって、使用者が所望の長さに切断して用いるものが提供されている（特許文献１参照）。
しかしながら、所望の長さに付箋を切断する際、使用者の目測では正確性に欠ける。
【０００３】
この点、例えばセロハンテープでは、粘着テープ収納部と、粘着テープを切断する切刃と、前記粘着テープ収納部内に回転可能に配置されると共に粘着テープを支持する粘着テープリールと、前記粘着テープと平行な方向に引き出すことができる巻尺テープを有する巻尺と、を備えた粘着テープカッターが提案されている（特許文献２）。
また、他のセロハンテープの例では、巻きテープを回転することによりテープを引き出せるようにした巻きテープ入れケースにおいて、カバー部に前記巻きテープから前記テープを引き出せるようにしたスリット出口を設け、前記スリット出口の一方の縁部に引き出されるテープを案内する案内を設け、前記スリット出口の他方の縁部に引き出されたテープを切断するカツターを設け、前記カバー部の外表面に前記案内から引き出されるテープの通過する通路を設け、前記カバー部の外表面に前記通路上に引き出されるテープを前記スリット出口から測長できるようにした目盛を画いてなり、前記スリット出口から引き出されるテープを測長したのち、前記スリット出口で反転して切断できるようにしたことを特徴とする巻きテープ入れケースが提案されている（特許文献３）。
【先行技術文献】
【特許文献】
【０００４】
【特許文献１】特開２０１５−１２３６９５号公報
【特許文献２】特開２００４−１３１１９９号公報
【特許文献３】特開平５−３２３６９号公報
【発明の概要】
【発明が解決しようとする課題】
【０００５】
しかしながら、特許文献２記載の粘着テープカッターでは、巻尺テープを引き出して長さを測るため、巻尺テープを引き出すためのスペースが必要になるし、長さを測る都度、巻尺テープを引き出すのは面倒である。
また、特許文献３記載の巻きテープ入れケースは、粘着力の高いテープを想定しているため、テープを一旦、内部から案内を介して引き出した上、目盛が画かれた外周面にテープの粘着剤の塗布されていない面を当てて長さを測ってから、改めてカッターでテープを切断するようになっている。そのため、一旦、テープの長さを測ってから、改めてテープをカッターまで持っていくことになり、使用者に煩雑な操作を要求することになるし、長さにズレが生じる可能性もある。
【０００６】
そこで、本発明は、容易に且つ正確に所望の長さに切断された付箋を得ることのできる付箋収納具を提供することを目的とする。
【課題を解決するための手段】
【０００７】
上記目的を達成するため、本発明に係る付箋収納具は、裏面全体に粘着剤が塗布され、ロール状に巻回された付箋を収納すると共に、当該付箋を引き出して所望の長さに切断することのできる略筒状の付箋収納具であって、上記付箋を回動可能に保持する軸受と、上記付箋が引き出されるスリットと、を備えた本体と、上記本体の外周面上に設けられ、上記スリットから引き出された付箋を切断する切刃を備えた切断部と、からなり、上記本体の外周面上には、上記スリットから引き出された付箋について、上記切断部の切刃からの長さを示す目盛が設けられていることを特徴とする。
【０００８】
また、上記本体の外周面上には、上記付箋が仮接着される箇所に凹凸が設けられているものとしてもよい。
【０００９】
また、上記凹凸は、細かな多段の突条からなるものとしてもよい。
【００１０】
また、上記凹凸は、散在するドット上の突起からなるものとしてもよい。
【００１１】
また、上記本体の外周面上には、上記付箋を巻き戻すための開口部が設けられているものとしてもよい。
【００１２】
また、上記本体の外周面上には、一定の長さごとに凸部が設けられているものとしてもよい。
【００１３】
また、上記凸部は、幅方向に長さを有する突条であって、上記本体の外周面から上記切断部方向に斜めに立設しているものとしてもよい。
【００１４】
また、上記切断部は、上記付箋の幅に応じて、幅方向中央が突出した山型形状かなるものとしてもよい。
【００１５】
また、上記切断部の上面に凹部が形成されているものとしてもよい。
【００１６】
また、上記切断部の下面に凹部が形成されているものとしてもよい。
【００１７】
また、上記目盛は、印字、刻印、又はシールによって設けられているものとしてもよい。
【発明の効果】
【００１８】
本発明によれば、付箋を容易且つ正確に所望の長さで切断して、所望の長さの付箋を得ることができる。
【図面の簡単な説明】
【００１９】
【図１】本発明の第一の実施形態に係る付箋収納具を示した斜視図であって、付箋を収納した状態の（ａ）正面側、（ｂ）背面側を示す。
【図２】本実施形態に係る付箋収納具を示した斜視図であって、付箋を収納していない状態の（ａ）正面側、（ｂ）背面側を示す。
【図３】本実施形態に係る付箋収納具を示した底面図である。
【図４】本実施形態に係る付箋収納具の使用状態を示した側面図である。
【図５】本発明の第二の実施形態に係る付箋収納具を示した斜視図である。
【図６】本発明の第三の実施形態に係る付箋収納具を示した側面図である。
【図７】本実施形態に係る付箋収納具を示した底面図である。
【図８】本実施形態に係る付箋収納具の使用状態を示した側面図である。
【図９】本実施形態に係る付箋収納具の変形例を示した側面図である。
【図１０】本発明の第四の実施形態に係る付箋収納具を示した正面図である。
【図１１】本発明の第五の実施形態に係る付箋収納具を示した斜視図である。
【発明を実施するための形態】
【００２０】
以下、本発明の実施形態に係る付箋収納具について説明する。
図１に示される本実施形態に係る付箋収納具１は、付箋Ｓを収納すると共に、付箋Ｓを引き出して所望の長さに切断することのできるものである。即ち、付箋収納具１の外周面には、内部から引き出された付箋Ｓの長さを図るための目盛Ｍが設けられており、使用者は付箋Ｓを内部から引き出して所望の長さとなるよう、目盛Ｍに合わせて付箋Ｓの先端を外周面に一旦、接着してから切断する（以下において、目盛Ｍに合うように引き出した付箋Ｓの先端を外周面に一旦、接着させることを「仮接着」と称する）。これにより、使用者は所望の長さの付箋Ｓを得ることができる。
【００２１】
なお、図１に示されるように、本実施形態に係る付箋収納具１に収納される付箋Ｓは、付箋紙の裏面全体に粘着剤が塗布され、これがロール状に巻回されたものである。ロール形状は、巻芯に巻き付けることによって形成されていてもよいし、巻芯を用いないものであってもよいが、いずれの場合でも中央には、付箋収納具１の軸受１１１を挿し込むための貫通孔Ｓａが形成されている。
また、付箋Ｓの材質は、本実施形態では紙であるが、フィルム状のプラスチックなど、広く一般に付箋の材質として使用されているものでも適用可能である。
また、付箋Ｓに塗布される粘着剤は、既知の付箋で塗布されている各種のものを用いることができ、付箋Ｓが貼り付けられる紙等に対し、接着と脱離を繰り返すことのできる適度な粘着性を有する。
【００２２】
また、本実施形態では、付箋Ｓは二つ、付箋収納具１の幅方向に沿って並設して収納されるが、付箋Ｓが図１に示すものの二倍の幅を有するものであれば、一つだけ収納可能となる。付箋収納具１の作製に際して、付箋収納具１の寸法は、付箋Ｓの寸法及び収納する付箋Ｓの個数に応じて決定すればよい。
【００２３】
また、付箋収納具１は例えば、Ａ−ＰＥＴ等のプラスチック等、形状維持が可能な材料を単独、あるいは各材質のものを組み合わせて作製される。
さらに、付箋収納具１は、一つの付箋だけでなく、色違いなどの複数の付箋を収納し、夫々を個別に引き出すように構成することができる。
【実施例１】
【００２４】
図２に示されるように、本発明の第一の実施形態に係る付箋収納具１は、本体１１と切断部１２から構成される。
本体１１は、内部が中空で、両端が閉止した略筒型形状からなり、内部には、ロール状に巻回された付箋Ｓが収納される。
【００２５】
本体１１の内部には、幅方向に長さを有する略棒状の軸受１１１が設けられている。この軸受１１１は、付箋Ｓの貫通孔Ｓａに挿し込まれ、付箋Ｓを回動可能に保持する。
【００２６】
本体１１の外周面上には、内部に収納されている付箋Ｓを引き出すためのスリット１１ａと、付箋Ｓを巻き戻すための開口部１１ｂが設けられている。スリット１１ａが切断部１２寄りに設けられているのに対し、開口部１１ｂはスリット１１ａを挟んで切断部１２とは反対側の位置に設けられている。開口部１１ｂからは、軸受１１１によって保持されている付箋Ｓを直接、触って巻き戻すことができる。
【００２７】
また、本体１１の外周面上には、図３に示されるように、スリット１１ａから引き出された付箋Ｓについて、切断部１２の切刃１２２からの長さを示す目盛Ｍが設けられている。この目盛は、スリット１１ａから引き出された付箋Ｓが切刃１２２を介して本体１１の外周面上に突っ張って仮接着された状態において、切刃１２２から付箋Ｓの先端までの長さを示すように設けられている。
なお、目盛Ｍは印字や刻印、シールなど、使用者が認識できる態様であればよい。また、目盛Ｍは、一定の長さごとに設けられていてもよい。
【００２８】
切断部１２は、本体１１の外周面の一部から突出して設けられている。
この切断部１２は、本体１１の外周面から延び出した基台部１２１と、基台部１２１の先端に設けられた切刃１２２によって構成される。
【００２９】
基台部１２１の上面には、下方へ凹んだ凹部１２１ａが形成されており、スリット１１ａから切刃１２２へ引き出された付箋Ｓが基台１２１に接着しないようになっている。これにより、付箋Ｓが基台部１２１に無用に接着し、粘着力が弱まるのを防ぐことができる。
付箋Ｓをスリット１１ａから引き出すと共に、切刃１１ａを介して本体１１の外周面に仮接着させて切断する際には、スリット１１ａから切刃１２２へ凹部１２１ａ上に掛け渡された付箋Ｓを下方へ押すとよい。このようにすることで、凹部１２１ａにおいて付箋Ｓが撓むと共に、切刃１２２において付箋Ｓに応力がかかり、付箋Ｓを容易に切断することができる。
【００３０】
また、基台部１２１の下面にも凹部１２１ｂが形成されており、切刃１２２を介して本体１１の外周面上に引き出された付箋Ｓが、基台部１２１にできる限り接着しないようになっている。この点、付箋Ｓの通常使用の特徴からして、極端に短い付箋Ｓが使用されることはないため、基台部１２１の下面の位置で付箋Ｓを切断する必要性がほとんどない。そのため、当該位置では付箋Ｓを基台部１２１にできる限り接着させず、粘着性が弱まるのを防ぐのが好適であり、凹部１２１ｂによって、切り離される付箋Ｓの裏面全体が本体１１の外周面に接着しないようになっている。
付箋Ｓをスリット１１ａから引き出すと共に、切刃１１ａを介して本体１１の外周面に仮接着させて切断する際には、切刃１２２から仮接着させた部分へ凹部１２１ｂ上に掛け渡された付箋Ｓを上方へ押すとよい。このようにすることで、凹部１２１ｂにおいて付箋Ｓが撓むと共に、切刃１２２において付箋Ｓに応力がかかり、付箋Ｓを容易に切断することができる。
なお、図２の例では、本体１１と切断部１２との形状によって凹部１２１ｂが形成されているが、これに限らず、基台部１２１自体が凹部１２１ｂを形成していてもよい。
【００３１】
なお、付箋収納具１は、一の側面部が脱着可能になっており、当該側面部を脱着させることにより、付箋Ｓを詰め替えることができる。
【００３２】
このような構成からなる付箋収納具１に収納された付箋Ｓを使用する場合について、図４を参照して説明する。
まず、使用者は、付箋Ｓの先端を摘んでスリット１１ａから引き出す。このとき、付箋Ｓは、軸受１１１周りに回動してスリット１１ａから引き出される。
【００３３】
使用者はさらに、付箋Ｓの先端を摘んだまま、切刃１２２を介して、所望の長さに応じた目盛Ｍの位置にまで付箋Ｓを引き出し、付箋Ｓの先端を当該位置に仮接着させる。
このとき、凹部１２１ａと凹部１２１ｂが設けられていることにより、付箋Ｓはこの凹部１２１ａと凹部１２１ｂにおいて、切断部１２の基台部１２１に接着することがない。その結果、付箋Ｓが基台部１２１に無用に接着することがなく、付箋Ｓの粘着力が弱まることがない。
【００３４】
使用者は適宜、付箋Ｓの弛みを除くべく、開口部１１ｂから本体１１内に指を挿し入れて付箋Ｓを巻き戻し、付箋Ｓが突っ張った状態とする。これにより、付箋Ｓの長さを正確に測ることができる。
そして、付箋Ｓの凹部１２１ａに架け渡されている部分を下方へ押下して、あるいは切刃１２２の近傍で付箋Ｓを掴み、切刃１２２に引き裂かせることによって付箋Ｓを切断し、所望の長さの付箋Ｓを得ることができる。
【００３５】
以上の本実施形態からなる付箋収納具１によれば、付箋を容易且つ正確に所望の長さで切断して、所望の長さの付箋を得ることができる。
【実施例２】
【００３６】
次に、本発明の第二の実施形態に係る付箋収納具２について、図５を参照して説明する。
本実施形態に係る付箋収納具２は、付箋Ｓが仮接着させられる本体２１の外周面上、特に付箋Ｓが仮接着される箇所に、細かな多段の突条からなる凹凸２ａが周方向に沿って設けられている。
なお、付箋収納具２の凹凸２ａ以外の形状及び構成は、第一の実施形態と同様に構成されており、本体２１の外周面にも目盛が設けられている。
【００３７】
この付箋収納具２によれば、本体２１の外周面が平滑な面によって構成される場合と異なり、外周面に凹凸２ａが設けられていることにより、付箋Ｓを本体２１の外周面上に仮接着させた際、付箋Ｓの裏面は、凹凸２ａの凸部分に接着するにとどまる。その結果、仮接着させた付箋Ｓを本体１１の外周面から剥がし易いし、付箋Ｓの粘着力を低下さないようにすることができる。
【００３８】
なお、本実施形態では、凹凸２ａは細かな多段の突条によって構成されたが、付箋収納具１内から引き出された付箋Ｓを本体２１の外周面に仮接着させる際、仮接着させられる部分全体外が外周面に接着しないようにすることができれば、他の構成によることもできる。例えば、凹凸２ａを、本体２１の外周面上に散在させたドット状の突起によって構成することもできる。
【実施例３】
【００３９】
次に、本発明の第三の実施形態に係る付箋収納具３について、図６から図８を参照して説明する。
本実施形態に係る付箋収納具３は、目盛Ｍと併せて、あるいは目盛Ｍの代わりに、一定の長さごとに付箋Ｓの長さの目安となると共に、スリット３１ａから引き出された付箋Ｓの先端のストッパーとなる突条３ａが本体３１の外周面上に設けられている。
なお、付箋収納具３の突条３ａ以外の形状及び構成は、第一の実施形態と同様に構成されており、本体３１の外周面には、突条３ａとは別に目盛が設けられていてもよい。
【００４０】
突条３ａは図６及び図７に示されるように、本体３１の外周面に突出して設けられており、本体３１の幅方向に長さを有している。また、突条３ａは、本体３１の外周面から切断部３２方向に斜めに立設している。これにより、突条３ａと本体３１の外周面との間には、切断部３２方向に向かって鋭角な条溝３ｂが形成されている。
【００４１】
本実施形態に係る付箋収納具３を使用する際は、図８に示されるように、付箋収納具３内から引き出した付箋Ｓの先端を条溝３ｂに挿し入れ、条溝３ｂ部分で仮接着を行う。これにより、仮接着の際に付箋Ｓの先端位置がずれ、付箋Ｓの長さを正確に測れないといった不具合を防ぎ、突条３ａの箇所で付箋Ｓの長さを正確に測ることができる。
【００４２】
なお、本実施形態に係る付箋収納具３では、本体の外周面に突出した突条３ａを設けたが、一定の長さごとに付箋Ｓの長さの目安となると共に、スリット３１ａから引き出された付箋Ｓの先端のストッパーの役割を果たすことができれば、他の形状によることもできる。例えば、図９に示されるように、本体３１の外周面において、一定の長さごとに外周面から内側へ凹んだ条溝３ｃとして構成することもできる。
【実施例４】
【００４３】
次に、本発明の第四の実施形態に係る付箋収納具４について、図１０を参照して説明する。
本実施形態に係る付箋収納具４は、切断部４２の切刃４２２の形状について、付箋Ｓの幅ごとに、幅方向中央が上方へ突出した山型形状からなる。即ち、本実施形態に係る付箋収納具４では、２つの付箋Ｓが並列配置されるため、内部から引き出される付箋Ｓごとに、付箋Ｓの幅方向中央に、山型形状の切刃４２１の尖部が当たるようになっている。
なお、付箋収納具４内に並列配置される付箋Ｓの数が異なる例においては、各付箋Ｓの幅方向中央に、山型形状の切刃４２２の尖部が当たるよう、切刃４２２の形状を形成させるとよい。
【００４４】
本実施形態に係る付箋収納具４によれば、切刃４２２が山型形状からなることから、付箋Ｓを仮接着させて切断する際、尖部に応力が集中し、当該尖部を起点として付箋Ｓが切り裂かれ安く、小さな力でも容易に切断することができる。
【実施例５】
【００４５】
本発明の第五の実施例に係る付箋収納具５を図１１に示す。
本実施形態に係る付箋収納具５は、第一の実施形態に係る付箋収納具１について、本体５１の外周面形状を他の形状としたものである。
【００４６】
即ち、付箋収納具５は、付箋収納具１の本体１１と切断部１２によって構成されるのと同様、本体５１と切断部５２から構成される。
また、本体５１には軸受５１１、スリット５１ａ、付箋Ｓを巻き戻すための開口部（図示省略）が設けられ、これらは夫々、付箋収納具１の軸受１１１、スリット１１ａ、開口部１１ｂと同様の構成からなるものである。
さらに、切断部５２は基台部５２１と切刃５２２によって構成されると共に、凹部５２１ａと凹部５２１ｂが設けられ、これらは夫々、付箋収納具１の基台部１２１、切刃１２２、凹部１２１ａ、凹部５２１ｂと同様の構成からなるものである。
【００４７】
本体５１の外周面には目盛（図示省略）が設けられるが、第一の実施形態に係る付箋収納具１の目盛Ｍや、第三の実施形態に係る付箋収納具３の突条３ａなど、各実施例において示された目盛を設けることができる。
【００４８】
なお、付箋収納具５の本体５１の下面には、付箋収納具５を机等に置いておくのに好適な一対の固定脚５１２が設けられている。この固定脚５１２は、幅方向に長さを有する突条様に形成されている。また、本体５１の底面であって、一対の固定脚５１２の間の部分は水平な面を形成している。これにより、付箋収納具５を机等に置いた場合、固定脚５１２によって付箋収納具５が転がらないようになっている。
【符号の説明】
【００４９】
１        付箋収納具
１１      本体
１１ａ    スリット
１１ｂ    開口部
１１１    軸受
１２      切断部
１２１    基台部
１２１ａ  凹部
１２１ｂ  凹部
１２２    切刃
２        付箋収納具
２ａ      凹凸
２１      本体
３        付箋収納具
３ａ      突条
３ｂ      条溝
３ｃ      条溝
３１      本体
３１ａ    スリット
４        付箋収納具
４２      切断部
４２２    切刃
５        付箋収納具
５        付箋収納具
５１      本体
５１ａ    スリット
５１１    軸受
５１２    固定脚
５２      切断部
５２１    基台部
５２１ａ  凹部
５２１ｂ  凹部
５２２    切刃
Ｓ        付箋
Ｓａ      貫通孔
Ｍ        目盛
【図１】
2018001700.tif 000003
【図２】
2018001700.tif 000004
【図３】
2018001700.tif 000005
【図４】
2018001700.tif 000006
【図５】
2018001700.tif 000007
【図６】
2018001700.tif 000008
【図７】
2018001700.tif 000009
【図８】
2018001700.tif 000010
【図９】
2018001700.tif 000011
【図１０】
2018001700.tif 000012
【図１１】
2018001700.tif 000013